(57)【特許請求の範囲】
【請求項１】
花びらを開閉する可動花と葉部を揺動させる可動葉が、人形胴部上の人形頭部に突き出すように設けられた植物型玩具において、
該可動花は各花びらが花芯部に対しヒンジを介して開閉自在に取り付けられ、該可動葉は複数の葉部が形状記憶合金線材を介して揺動可能に取り付けられ、
該可動花の花びらを開閉すると同時に該可動葉の葉部を揺動させる花葉揺動機構が該人形胴部内に配設され、該人形頭部をライティングするＬＥＤが透光性を有する該人形頭部内に設けられ、該人形胴部には物体の接近を検知して検知信号を出力する２個の物体接近センサが設けられ、
該物体検知センサから該検知信号が出力されたとき、該ＬＥＤを点灯制御し、該花葉揺動機構を駆動制御して該可動花の花びらを開閉させると共に、該可動葉の葉部を揺動させる制御部が、該人形胴部内に配設され、
該人形胴部内に音声回路とスピーカが配設され、該制御部の制御により該音声回路が動作して該スピーカから音声が発生し、
前記制御部は、該２個の物体接近センサが物体の接近を検知する順序に応じて、該音声回路から出力する音声データを選択し、該スピーカを通して発生する音声を変えることを特徴とする植物型玩具。
【請求項２】
前記花葉揺動機構は、前記可動花の花芯部がワイヤを介して熱収縮性メタル線材の端部に連結されると共に、前記可動葉の形状記憶合金線材が該熱収縮性メタル線材の端部に連結され、該熱収縮性メタル線材への通電時に、該熱収縮性メタル線材の伸縮によって、該花びら及び花芯部がそれを支持する支持枠に対し上下動することにより、該各花びらが開閉動作し、且つ該可動葉が形状記憶合金線材を介して揺動するように構成されたことを特徴とする請求項１記載の植物型玩具。
【請求項３】
前記花芯部には閉じた各花びらを押して開くためのコイルばねが取り付けられたことを特徴とする請求項２記載の植物型玩具。
【請求項４】
前記人形頭部から上方に突き出すように茎部を有する発光花が設けられ、該茎部内には光ファイバが該発光花の中央部から該茎部の元部まで延設され、該茎部の元部にＬＥＤが配設され、該ＬＥＤは該光ファイバ内に光を入射させ該発光花の中央部から光を放射させて、該発光花を発光させることを特徴とする請求項１乃至３のいずれかに記載の植物型玩具。
【請求項５】
前記人形頭部には、目部が設けられると共に、該目部にＬＥＤが配設され、前記制御部の制御により該ＬＥＤを発光させて該目部を発光させることを特徴とする請求項１乃至４のいずれかに記載の植物型玩具。
【請求項６】
前記人形胴部上の人形頭部には、手動で花の向きを変えられる手動花が突き出すように設けられたことを特徴とする請求項１記載の植物型玩具。
【請求項７】
前記可動葉には、香料を含浸させた香料含浸部が設けられたことを特徴とする請求項１記載の植物型玩具。
【請求項８】
前記人形胴部には赤外線リモコン送信器から送信された赤外線信号を受信する赤外線リモコン受信部が設けられ、前記制御部は、該赤外線リモコン受信部が受信する赤外線信号に応じて、前記音声回路から出力する音声データを切り替え、前記スピーカを通して発生する音声を変えることを特徴とする請求項１記載の植物型玩具。
【請求項９】
前記人形胴部の上部に２つの手部が設けられ、一方の該手部内には前記制御部の電源スイッチが配設され、他方の該手部には前記スピーカから発生する音声の音量を変えるための音量スイッチが設けられたことを特徴とする請求項１記載の植物型玩具。
【発明の詳細な説明】
【技術分野】
【０００１】
本発明は、食虫植物などの植物を模した植物型玩具に関する。
【背景技術】
【０００２】
食虫植物は、昆虫や小動物を捕らえて食虫作用する植物であり、例えば、ハエトリグサ、コモウセンゴケ、ミミカキグサなどが湿地や湖沼などに生息しているが、家庭内でこの種の食虫植物を培養して鑑賞することは難しく、一般家庭で栽培されることは少ない。
【０００３】
そこで、食虫植物を身近に感じてもらい、その培養や鑑賞を促進させるために、本出願人は、下記特許文献１において、食虫植物模型を提案した。
【先行技術文献】
【特許文献】
【０００４】
【特許文献１】特開２００１−５６６３７号公報
【発明の概要】
【発明が解決しようとする課題】
【０００５】
この食虫植物模型は、ハエトリグサを模して形成され、可動葉体が蝶番を介して回動可能に設けられ、電磁ソレノイドの動作により、可動葉体が開閉可能に構成され、可動葉体の内側にセンサが設けられ、ハエ模型が可動葉体の内側に入って、センサがハエ模型を検出したとき、電磁ソレノイドが動作して、可動葉体が閉じ、ハエ模型を捕らえるようになっている。
【０００６】
しかし、一般家庭でこの種の食虫植物模型を鑑賞する場合、食虫植物の構造や動作は認識できるものの、食虫植物への興味を増大させるための楽しさや魅力が不足する課題があり、食虫植物などの植物の魅力や楽しさを感じることができる植物型玩具が要望されていた。
【０００７】
本発明は、上述の課題に鑑みなされたもので、食虫植物などの植物の魅力や楽しさを感じることができる植物型玩具を提供することを目的とする。
【課題を解決するための手段】
【０００８】
本発明に係る植物型玩具は、花びらを開閉する可動花と葉部を揺動させる可動葉が、人形胴部上の人形頭部に突き出すように設けられた植物型玩具において、該可動花は各花びらが花芯部に対しヒンジを介して開閉自在に取り付けられ、該可動葉は複数の葉部が形状記憶合金線材を介して揺動可能に取り付けられ、該可動花の花びらを開閉すると同時に該可動葉の葉部を揺動させる花葉揺動機構が該人形胴部内に配設され、該人形頭部をライティングするＬＥＤが透光性を有する該人形頭部内に設けられ、該人形胴部には物体の接近を検知して検知信号を出力する２個の物体接近センサが設けられ、該物体検知センサから該検知信号が出力されたとき、該ＬＥＤを点灯制御し、該花葉揺動機構を駆動制御して該可動花の花びらを開閉させると共に、該可動葉の葉部を揺動させる制御部が、該人形胴部内に配設され、該人形胴部内に音声回路とスピーカが配設され、該制御部の制御により該音声回路が動作して該スピーカから音声が発生し、前記制御部は、該２個の物体接近センサが物体の接近を検知する順序に応じて、該音声回路から出力する音声データを選択し、該スピーカを通して発生する音声を変えることを特徴とする。
【０００９】
この発明によれば、使用者が人形胴部の物体接近センサの部分に手などを近づけると、制御部の制御動作により、人形頭部が光り、且つ花葉揺動機構の動作により、可動花の花びらが開閉すると共に可動葉の葉部が揺動するように動くので、使用者は食虫植物などの植物の魅力や楽しさを感じることができる。さらに、使用者が人形胴部の物体接近センサの前に手などをかざしたとき、音声を発生させるので、玩具の魅力を増すことができる。また、使用者が人形胴部の物体接近センサの部分に手などを近づけて動作させる際、手などを近づける方向を変えることにより、発生する音声を変えて、玩具を楽しむことができる。
【００１０】
ここで、上記花葉揺動機構は、可動花の花芯部がワイヤを介して熱収縮性メタル線材の端部に連結されると共に、前記可動葉の形状記憶合金線材が該熱収縮性メタル線材の端部に連結され、該熱収縮性メタル線材への通電時に、該熱収縮性メタル線材の伸縮によって、該花びら及び花芯部がそれを支持する支持枠に対し上下動することにより、該各花びらが開閉動作し、且つ該可動葉が形状記憶合金線材を介して揺動するように構成することができる。これによれば、簡単な構造の花葉揺動機構により、少ない電力で、可動花の花びらを開閉動作させることができ、可動葉の葉部を揺動させることができる。
【００１１】
また、上記花芯部には閉じた各花びらを押して開くためのコイルばねを取り付けることができる。これによれば、閉じた花びら及び花芯部を上記支持枠に対し押し上げたとき、コイルばねの作用により各花びらを確実に開放させることができる。
【００１２】
また、上記構成の植物型玩具には、さらに、上記人形頭部から上方に突き出すように茎部を有する発光花が設けられ、該茎部内には光ファイバが該発光花の中央部から該茎部の元部まで延設され、該茎部の元部にＬＥＤが配設され、該ＬＥＤは該光ファイバ内に光を入射させ該発光花の中央部から光を放射させて、該発光花を発光させるように構成することができる。これによれば、上記可動花の開閉と可動葉の揺動及び頭部のライティングに加え、発光花の中央部及び茎部を、ＬＥＤと光ファイバにより美しく発光させることができる。
【００１３】
また、上記構成の植物型玩具では、上記人形頭部に、目部が設けられると共に、該目部にＬＥＤが配設され、上記制御部の制御により該ＬＥＤが発光し該目部が発光するように構成することができる。これによれば、使用者が人形胴部の物体接近センサの部分に手などを近づけたときなどに、人形頭部の目部を発光させ、玩具の魅力を増すことができる。
【００１６】
また、上記人形胴部上の人形頭部には、手動で花の向きを変えられる手動花を、突き出すように設けることができる。これによれば、可動葉、可動花、発光花に加えて手動花が人形頭部に咲くことになり、装飾効果を向上させることができる。
【００１７】
また、上記可動葉には、香料を含浸させた香料含浸部を設けることができる。これによれば、植物型玩具を置いた部屋の中に芳香を漂わせ、香りを楽しむことができる。
【００１８】
また、上記人形胴部には、赤外線リモコン送信器から送信された赤外線信号を受信する赤外線リモコン受信部を設け、上記制御部は、赤外線リモコン受信部が受信する赤外線信号に応じて、音声回路から出力する音声データを切り替え、スピーカを通して発生する音声を変えるように構成することができる。これによれば、使用者は、赤外線リモコン送信器を用いて赤外線信号を赤外線リモコン受信部に送信することにより、発生する音声を変えて、玩具を楽しむことができる。
【００１９】
また、上記人形胴部の上部には２つの手部を設け、一方の手部内には制御部の電源スイッチを配設し、他方の手部にはスピーカから発生する音声の音量を変えるための音量スイッチを設けることができる。これによれば、使用者は人形の手に触れる感覚でスイッチング操作を行なって、電源のオンオフや音量の調整を楽に行なうことができる。
【発明の効果】
【００２０】
本発明の植物型玩具によれば、使用者は、食虫植物などの植物の魅力や楽しさを感じることができる。
【図面の簡単な説明】
【００２１】
【図１】本発明の一実施形態を示す植物型玩具の正面図である。
【図２】同玩具の断面図である。
【図３】可動葉及び可動花とその花葉揺動機構の斜視図である。
【図４】可動花の分解斜視図である。
【図５】可動花の平面図（ａ）、同底面図（ｂ）及び同断面図（ｃ）である。
【図６】発光花の断面を含む正面図である。
【図７】制御部のブロック図である。
【図８】可動花が開閉し、可動葉が揺動したときの正面図である。
【図９】他の実施形態の植物型玩具の正面図である。
【図１０】同実施形態の可動葉の部分拡大斜視図である。
【図１１】同実施形態の制御部のブロック図である。
【発明を実施するための形態】
【００２２】
以下、本発明の一実施形態を図面に基づいて説明する。図１は植物型玩具の正面図を示し、図２はその断面図を示している。この植物型玩具は、図１に示すように、人形胴部１の上に半球型の人形頭部２を設けて構成され、その人形頭部２上に、花びら４１を開閉する可動花４と葉部３１を揺動させる可動葉３が、人形頭部２から突き出すように設けられ、植物を模して形成されている。
【００２３】
人形頭部２には目部７が設けられ、目部７は後述のようにＬＥＤ（発光ダイオード）１２によって発光するようになっている。また、人形頭部２と人形胴部１と間には、手部８が設けられ、人形型となっている。人形頭部２は半透明または透光性を有した半球状のプラスチックカバー体から形成され、内部にＬＥＤ１３が設けられ、ＬＥＤ１３が発光することにより、人形頭部２内が各種の有彩色光で光るようになっている。
【００２４】
さらに、人形頭部２から上方に突出する可動花４は、図３〜図５に示すように、各花びら４１が花芯部４２に対しヒンジ４３を介して開閉自在に取り付けられ、支持枠４４に対し花びら４１及び花芯部４２を上下動させることにより、花びら４１を開閉するようになっている。
【００２５】
つまり、図４に示すように、箱状で花びらのガク状に形成された支持枠４４がアウタチューブ４６を介して人形頭部２上に取り付けられている。支持枠４４内に可動花４の花びら４１及び花芯部４２が上から挿入され、さらに花芯部４２から下側に延設されたインナワイヤ４５が支持枠４４の孔からアウタチューブ４６内に挿入され、インナワイヤ４５をアウタチューブ４６内で上下させることにより、可動花４の花びら４１を開閉させる構造である。インナワイヤ４５は、後述のように、花葉揺動機構５の熱収縮性メタル線材５３に接続され、熱収縮性メタル線材５３に通電したとき、熱収縮性メタル線材５３が収縮し、これによりインナワイヤ４５が引き下げられ、このとき、支持枠４４内に可動花４の花びら４１及び花芯部４２が進入し、花びら４１が閉じられる。
【００２６】
また、図５に示すように、花芯部４２に花びらに対応してコイルばね４７が取り付けられており、これらのコイルばね４７は、花芯部４２と花びら４１が支持枠４４内に引き込まれるように下降し、花びら４１が閉じた状態から、花芯部４２と花びら４１が上昇したとき、ばねが花びら４１を内側から外側に押して、花びら４１を開花させるようになっている。また、花芯部４２に設けたコイルばね４７と花びら４１を下から支持する支持枠４４の作用により、花びら４１が閉じたとき、閉じすぎずに適度に閉じるようにし、花びら４１が開いたとき、開きすぎずに適度に開くようにしている。
【００２７】
可動葉３は、図３に示すように、複数の葉部３１を、形状記憶合金線材３２を介して揺動可能に取り付けて構成される。葉部３１は、例えば金属板の表裏を緑色のビロード布で覆って、食虫植物のハエトリクサに類似した形状に形成され、可動葉３は、その葉部３１の葉柄の部位に形状記憶合金線材３２を固定して形成される。複数の可動葉３は図３に示すように形状記憶合金線材３２により相互に連結され、さらに、形状記憶合金線材３２の中央部は略Ｕ字状に曲折され、上記可動花４のインナワイヤ４５に、人形頭部２内で連結されている。
【００２８】
このように、Ｕ字状に曲折された形状記憶合金線材３２が、熱収縮性メタル線材５３の収縮によってインナワイヤ４５が引き下げられたとき、Ｕ字状の線材の開き角度が狭くなるように曲がり、逆にインナワイヤ４５が引き上げられると、両側の開き角度が増大し、これにより、インナワイヤ４５を間欠的に引き下げることにより、可動葉３の葉部３１が上下に揺動することとなる。
【００２９】
形状記憶合金線材３２は常温で適度なばね弾性を有し、且つ加熱時の形状を記憶するので、可動葉３の葉部３１を所望の角度に傾斜させて保持するような略Ｕ字状に、容易に成形することができ、その形状を記憶させ、線材が持つ適度なばね弾性により、葉部３１を恰も木々の葉らしく望ましい状態で揺動させることができる。
【００３０】
このような可動花４を開閉させ可動葉３を揺動させる花葉揺動機構５は、図３に示すように、熱収縮性メタル線材５３をベース板５１に移動可能に張設して構成され、熱収縮性メタル線材５３に間欠的に通電することにより、熱収縮性メタル線材５３を熱収縮させ、上記インナワイヤ４５を間欠的に引き下げて可動花４を開閉させ可動葉３を揺動させる。
【００３１】
図３に示すように、熱収縮性メタル線材５３は一端をベース板５１上で固定し、プーリ５２を通して張設し、熱収縮性メタル線材５３の他端にはインナワイヤ４５の端部が接続される。熱収縮性メタル線材５３の両端には、接続端子５４，５５が設けられ、接続端子５４，５５を通して制御部１０から所定の周期で間欠的に通電し、周期的に可動花４を開閉させ可動葉３を揺動させる構造である。
【００３２】
さらに、図１に示すように、人形頭部２からは発光花６が突き出すように設けられる。発光花６は、図６に示すように、茎部６２の先端に花部６１を取り付けて構成される。茎部６２は透明チューブにより形成され、その茎部６２内に光ファイバ６３が挿通され、光ファイバ６３の先端は花部６１の中心に露出している。一方、茎部６２の末端は取付枠６４に固定され、取付枠６４にはＬＥＤ１４が光ファイバ６３内に光を入射させるように配設される。このＬＥＤ１４の点灯により、光ファイバ６３が光ると共に光ファイバ６３の先端から光が放射されるので、ＬＥＤ１４の点灯動作により、発光花６はその中央が発光し、その茎部６２が光ることとなる。
【００３３】
さらに、図２に示すように、人形頭部２内には、人形頭部２をライティングするＬＥＤ１３が配設される。人形頭部２内のＬＥＤ１３は、複数の有彩色光を順に発光して放射するように構成され、例えば所定時間ごとに青色光、緑色光、赤色光を順に発光させるように動作し、透光性を有する人形頭部２内が各種の光を放射するようになっている。さらに、図２に示すように、人形頭部２に設けた目部７には、ＬＥＤ１２が埋め込まれ、制御部１０の制御動作により、人形の目部７が光るようになっている。
【００３４】
また、図１に示すように、人形胴部１には物体の接近を検知して検知信号を出力する物体接近センサ１１が設けられる。この物体接近センサ１１は、赤外線投光器と赤外線受光器を有し、赤外線投光器から投光された赤外線が物体に反射して赤外線受光器に受光されたとき、物体の接近を検出して、その検出信号を出力し、制御部１０に送出する。物体接近センサ１１としては、上記赤外線反射式センサのほか、人感センサなどを使用することもできる。
【００３５】
制御部１０は、図２に示すように、人形胴部１内に配設され、図７に示す如く、ワンチップコンピュータからなるＣＰＵユニット１５を主要部として構成され、入出力回路１７と共に音声回路１６を備えている。入出力回路１７には、物体接近センサ１１、ＬＥＤ１２、１３、１４が接続される。
【００３６】
音声回路１６は、人形の音声データを記憶するメモリ、メモリから読み出した音声データを順にアナログ音声信号に変換し、その信号を低周波増幅する回路を備え、増幅された音声信号をスピーカ１８に出力するように構成される。音声回路１６のメモリには予め、人形の挨拶言葉などの音声データが記憶される。
【００３７】
なお、スピーカ１８及び電源としての電池１９は、図２に示すように、人形胴部１内に配設されている。電池１９は充電可能な二次電池とし、充電回路を含むＡＣアダプタを接続するように構成することができる。
【００３８】
制御部１０は、ＣＰＵユニット１５のメモリに予め記憶されたプログラムデータに基づき、物体接近センサ１１の検知信号の出力を契機に所定の制御動作を行うように構成される。すなわち、制御部１０のＣＰＵユニット１５は、物体接近センサ１１から検知信号が出力されたとき、上記人形頭部２内のＬＥＤ１３を点灯し、目部７のＬＥＤ１２を点灯し、さらに発光花６のＬＥＤ１４を点灯制御すると共に、花葉揺動機構５の熱収縮性メタル線材５３に通電して、可動花４の花びら４１を開閉させ、同時に可動葉３の葉部３１を揺動させるように構成される。
【００３９】
次に、上記構成の植物型玩具の動作を説明する。使用者などが植物型玩具の前に手などをかざすと、物体接近センサ１１がそれを検知し、検知信号を制御部１０に出力する。制御部１０は、物体接近の検知信号を入力すると、予め記憶された所定のプログラム制御動作を開始する。
【００４０】
制御部１０は、まず、音声回路１６を動作させ、挨拶などの音声をスピーカ１８から発生させる。これにより、植物型玩具から「こんにちは」などの音声が聞こえる。次に、制御部１０は花葉揺動機構５の熱収縮性メタル線材５３に所定時間通電し、熱収縮性メタル線材５３を加熱状態とする。このとき、熱収縮性メタル線材５３が熱収縮し、これにより、可動花４のインナワイヤ４５と可動葉３の形状記憶合金線材３２が引き下げられ、図８のように、可動花４はその花びら４１と花芯部４２を支持枠４４内に進入させ、花びら４１を閉じるように動作させる。
【００４１】
可動葉３は略Ｕ字状の形状記憶合金線材３２がスリット孔から人形頭部２内に引き下げられ、これによって、葉部３１が上側に揺動する。このような動作が間欠的に所定の周期で所定時間繰り返され、熱収縮性メタル線材５３が非通電のときには線材が伸長することにより、上記とは逆に花びら４１が開き、葉部３１が下側に揺動するので、上記のような動作が周期的に繰り返されることにより、可動花４が開閉し、可動葉３が上下に揺動することとなる。
【００４２】
また、制御部１０は、目部７のＬＥＤ１２を点灯または点滅動作させ、人形頭部２内のＬＥＤ１３を点灯または点滅動作させ、発光花６のＬＥＤ１４を点灯または点滅動作させる。これにより、人形頭部２の目部７が発光し、人形頭部２の内部が各種の有彩色光でライティングされ、さらに、発光花６の光ファイバ６３が光り、発光花６の花部６１の中心部から光が放射されると共に、発光花６の茎部６２が美しく発光する。
【００４３】
このような、可動花４が開閉し、可動葉３が上下に揺動し、さらに目部７、人形頭部２内、及び発光花６の花部６１と茎部６２が発光する動作は、制御部１０内に予めプログラムされた制御データに基づき、繰り返し実行され、所定の時間、その動作が継続することとなる。
【００４４】
このように、使用者は、人形胴部１の物体接近センサ１１の部分に手などを近づけると、制御部１０の制御動作により、人形頭部２が光り、且つ花葉揺動機構５の動作により、可動花４の花びら４１が開閉すると共に可動葉３の葉部３１が揺動するように動くので、使用者は食虫植物などの植物の魅力や楽しさを感じることができる。また、この植物型玩具は人形胴部１と人形頭部２を有して人形型に形成され、挨拶などの音声を聞くことができるので、使用者は親しみや癒しなどを感じることができる。
【００４５】
なお、上記実施形態では１個の物体接近センサ１１を設けたが、物体の接近を検知して検知信号を出力する２個の物体接近センサを人形胴部１に設けることもでき、この場合、制御部１０は、２個の物体接近センサが物体の接近を検知する順序に応じて、音声回路１６から出力する音声データを選択するようにし、スピーカ１８を通して発生する音声を変えるように構成することができる。これによれば、使用者が人形胴部１の物体接近センサの部分に手などを近づけて動作させる際、手などを近づける方向を変えることにより、発生する音声を変えて、玩具を楽しむことができる。
【００４６】
図９〜図１１は、他の実施形態の植物型玩具を示している。この例では、手動花７１が増設されると共に、スイッチ機能が増設されている。上記実施形態の植物型玩具と同じ構成部分については、図に同じ符号を付して、その詳細な説明は省略する。
【００４７】
図９に示すように、人形胴部１上の人形頭部２には、手動で花の向きを変えることができる手動花７１が突き出すように設けられる。この手動花７１は、茎部７３を人形頭部２から回動可能に突出させ、その茎部７３の先端に花部７２を回動可能に取り付けて構成される。使用者は、自分の好みに合わせて手動花７１の花部７２の角度などを変えることができるようになっている。
【００４８】
また、図１０のように、可動葉３には、香料を含浸させた香料含浸部３３が設けられる。この香料含浸部３３は、発泡素材、繊維材或いは布材等の含浸部を有し、その含浸部にエッセンシャルオイルなどの香料を含浸させるように構成される。使用者は、所望の香料を香料含浸部３３に含浸させ、植物型玩具を部屋に置いた際、その部屋に漂う芳香を楽しむことができる。
【００４９】
さらに、図９に示すように、人形胴部１の上部に２つの手部８，９が設けられ、右側の手部８内にはスピーカ１８から発生する音声の音量を変えるための音量スイッチ２１が設けられ、左側の手部９には制御部１０の電源スイッチ２０が設けられている。電源スイッチ２０は、例えば手部９を右にスライドさせることによりオンするスイッチであり、手部９を右にスライドさせると電源スイッチ２０がオンし、制御部１０の電源がオンするようになっている。
【００５０】
また、音量スイッチ２１は、例えば右側の手部８を押したとき、オンするスイッチであり、手部８を押すごとに、音量スイッチ２１から音量信号が制御部１０に送られ、制御部１０はその音量信号を入力する毎に、音声回路１６の音声信号増幅器の出力レベルを上げまたは下げるように動作し、これにより、使用者が手部８を押すごとに、スピーカ１８を通して流れる音声の音量が増大し、或いは減少するようになっている。
【００５１】
さらに、図９に示すように、人形胴部１には赤外線リモコン受信部２２が設けられる。この赤外線リモコン受信部２２は、図示しない赤外線リモコン送信器から送信された赤外線信号を受信し、赤外線に重畳された信号を復調して出力するように構成される。赤外線リモコン受信部２２は、赤外線用フォトダイオードなどの受光素子を有し、この受光素子により赤外線信号を受信したとき、赤外線に重畳されて送信された送信信号を取り出し、その信号を所定の復調処理によって復調し、受信信号を取り出して出力するように構成される。
【００５２】
なお、赤外線リモコン送信器として、各家庭で使用される各種の赤外線リモコンが使用可能なように、赤外線リモコン送信器から送信された赤外線信号であれば、その信号に含まれる送信データに拘わらず、赤外線リモコン受信部２２は受信信号として入力し、出力信号を出力するようになっている。
【００５３】
つまり、通常、赤外線リモコンでは、スタートフレームに続くペイロードとして送受信する各種情報のデータを配するようにデータフレームを作成し、そのデータを送受信するようにしているが、何れの機種の赤外線リモコン送信器でも或いはリモコンの何れのキーを操作しても、音声切替用信号として入力できるように、赤外線リモコン送信器から送信された赤外線信号であれば、つまり例えば３８ＫＨｚの副搬送波をパルス信号で変調した信号を赤外線に重畳させた赤外線信号であれば、有効な信号として赤外線リモコン受信部２２が受信し、その受信信号を制御部１０に出力するようになっている。
【００５４】
赤外線リモコン受信部２２の出力側は、図１１に示すように、制御部１０に接続され、制御部１０は、赤外線リモコン受信部２２から出力される赤外線の受信信号に応じて、音声回路１６のメモリから読み出して出力する音声データを順に切り替え、スピーカ１８を通して発生する音声を変えるように動作する。
【００５５】
これにより、使用者は、家庭のＴＶ、ビデオ機器、携帯電話機等に付属する赤外線リモコン送信器を操作して、赤外線信号を植物型玩具に向けて送信すると、赤外線リモコン受信部２２がその赤外線信号を受信し、その赤外線に重畳された信号を取り出し、復調された受信信号を制御部１０に出力する。
【００５６】
このとき、制御部１０のＣＰＵユニット１５は音声回路１６に音声再生用の指令信号を送り、音声回路１６のメモリに予め記憶される複数の音声データについて、次のアドレスの音声データを読み出して再生するように動作する。これにより、使用者が赤外線リモコン送信器を操作する毎に、音声回路１６のメモリから読み出される音声データが変わり、スピーカ１８からは異なった音声が発生することとなる。なお、制御部１０のＣＰＵユニット１５は、音声停止中にのみ、音声切替用信号を受け付けて取り込み、次に再生する音声が切り替えられる。
【００５７】
このように、使用者は、各家庭にある既存の赤外線リモコン送信器を使用して、植物型玩具に向けて赤外線信号を送信すれば、人形胴部１に設けた赤外線リモコン受信部２２がその信号を受信し、制御部１０に対し音声再生の切替指令を行なって、スピーカ１８から出力される音声を、順に変えることができる。また、音声の音量を変えたい場合、使用者は人形胴部１上に設けた手部８を押すことにより、音量スイッチ２１を操作して、希望する音量に変えることができる。また、電源をオフする場合、人形胴部１上の左側の手部９を押すことにより、電源スイッチ２０をオフ操作して、制御部１０の電源をオフすることができる。
【符号の説明】
【００５８】
１      人形胴部
２      人形頭部
３      可動葉
４      可動花
５      花葉揺動機構
６      発光花
７      目部
８、９    手部
１０    制御部
１１    物体接近センサ
１２，１３，１４    ＬＥＤ
１５    ＣＰＵユニット
１６    音声回路
１７    入出力回路
１８    スピーカ
１９    電池
２０    電源スイッチ
２１    音量スイッチ
２２    赤外線リモコン受信部
３１    葉部
３２    形状記憶合金線材
３３    香料含浸部
４２    花芯部
４３    ヒンジ
４４    支持枠
４５    インナワイヤ
４６    アウタチューブ
５１    ベース板
５２    プーリ
５３    熱収縮性メタル線材
５４    接続端子
６１    花部
６２    茎部
６３    光ファイバ
６４    取付枠
７１    手動花
７２    花部
７３    茎部
【図１】
0005529815.tif 000002
【図２】
0005529815.tif 000003
【図３】
0005529815.tif 000004
【図４】
0005529815.tif 000005
【図５】
0005529815.tif 000006
【図６】
0005529815.tif 000007
【図７】
0005529815.tif 000008
【図８】
0005529815.tif 000009
【図９】
0005529815.tif 000010
【図１０】
0005529815.tif 000011
【図１１】
0005529815.tif 000012